【事件の表示】
　平成１０年特許願第３７５６８２号「棚板の係止具」拒絶査定不服審判事件〔平成１２年　６月１３日出願公開、特開２０００−１５７３４９〕について、次のとおり審決する。
【結　論】
　本件審判の請求は、成り立たない。
【理　由】
【１】．手続の経緯・本願発明
  本願は、平成１０年１１月２６日の出願であって、平成１６年５月１１日付けの拒絶理由に対し同年６月３０日付けで手続補正がなされ、同年１０月２８日付けで拒絶査定がなされ、これに対し、同年１２月９日に拒絶査定に対する審判請求がなされたものであって、その請求項１に係る発明（以下、「本願発明」という。）は、平成１６年６月３０日付けの手続補正書により補正された請求項１に記載された事項により特定される次のとおりのものである。
「【請求項１】中棚の高さを任意に変更するようにした吊り戸棚などの家具において、該中棚を支持する左右側板の対向内側面に前後一対の支持ピンを着脱自由に突設し、左右側板の前後の各支持ピンに棚板の左右を前後端縁部で支承するようにした係止具を嵌脱自由に装着し、且つ該各係止具には棚板の前縁或いは後縁を載支する棚板下面支持片と、該下面支持片の下部に膨出形成されたダボ受けと、該下面支持片の上面一端縁に立設した棚板の側面支持部と、該下面支持片の端部に上向きに連設され棚板の前端面或いは後端面を受け止めるようにした弾性係止部と、該弾性係止部の上端に形成した棚板上縁を係止する係止爪とが設けられており、棚板の
左右両側における前後
の四隅
するようにした
　
【２】．引用例及びその記載事項の概要
［１］．引用例１
　原査定の拒絶の理由に引用された、実願昭６３−７０３１７号（実開平１−１７７９３３号）のマイクロフィルム（以下「引用例１」という）には、図面とともに以下の記載がある。
（ａ）「（２）側板に開設された嵌合孔に嵌入されるピンを嵌合係止するピン孔と、棚板の下面が載置される平面部と、この平面部の外側から上方に延設されたストッパー片部と、上記ストッパー片部の上端から内方向へ延び上記棚板の上縁部を係止する係止片部と、から構成されてなる棚受け具。」（明細書第１頁第１１行〜第１７行）
（ｂ）「（産業上の利用分野）この考案は、吊戸棚や床置間仕切りユニットなどの家具の棚板を架設するために用いられる棚受け具に係り、特に、両面開閉式扉を有する家具に好適な棚受け具に関する。」（同第１頁第１９行〜第２頁第３行）
（ｃ）「（実施例）以下、添付図面に示す実施例に基き、この考案を詳細に説明する。第１図乃至第３図は、この考案の第１実施例に係る棚受け具Ａを示している。この実施例に係る棚受け具Ａは、家具の両側板に開設された嵌合孔に嵌入されるピン１２を嵌合係止するピン孔１３と、棚板の下面が載置される平面部１５と、この平面部１５の外側から上方に延設されたストッパー片部１６と、上記平面部１５の側板側縁部から上方に延設された係止片部１７，１７と、から構成されている。家具の両側板に開設される嵌合孔は、図示はしないが、各側板の両縁部上下方向に沿って所定間隔毎に開設されており、両側板の各嵌合孔は、同一高さ位置の相対向する部分に開設されている。ピン１２は、上記嵌合孔に嵌入される細径部１２ｂ（第４図参照）と、棚受け部Ａのピン孔１３に嵌入される太径部１２ａと、から構成されている。ピン孔１３は、上記ピン１２の太径部１２ａより径が若干小さく形成されており、正面形状が略Ｃ字状に形成されている。平面部１５には、棚板の底面部が載置される。ストッパー片部１６は、棚板の前後縁部と当接するもので、その上端部は、やや内側方向へ折曲され、上記棚板の前後縁部を内側方向へ押圧するように構成されている。勿論、棚受け具Ａは、前記棚板の左右（前後）に配設されるため、上記ストッパー片部１６は、扉が片開き式の場合は扉側と背板側に形成され、扉が両開き式の場合には両扉側に形成される。」（同第５頁第１２行〜第７頁第６行）
（ｄ）「このように構成された棚受け具Ａを用いて棚板を所望の高さ位置にセットする場合を、第４図と第５図に基き説明すると、先ず、棚受け具Ａのピン孔１３に上記ピン１２の太径部１２ａに予め嵌入しておき、次に、これら各ピン１２の細径部１２ｂを、家具の両側板２０，２０の同一の高さ位置に開設された各嵌合孔に嵌入する。このとき、各棚受け具Ａのストッパー片部１６が、扉と背板（または扉）と対面するように、上記各棚受け具Ａを上記ピン１２の太径部１２ａに嵌入し、かつ、各棚受け具Ａの係止片部１７，１７が、側板と対面するように、上記各棚受け具Ａを上記ピン１２の太径部１２ａに嵌入する。このように、各棚受け具Ａを、家具の両側板２０，２０にセットした後、棚板２１を上方から各棚受け具Ａの平面部１５方向へ嵌入する。これにより、上記棚板２１は、その底面が各棚受け具Ａの平面部１５に載置され、かつ、その前縁部と後縁部が各ストッパー片部１６の間に挟持される・・・。」（同第７頁第１３行〜第８頁第１４行）
（ｅ）「第６図は、この考案の第２実施例に係る棚受け具Ａを示しており、この実施例に係る棚受け具Ａは、棚板２１の縁部を抱持するように、ストッパー片部１６の上端部を内側方向へ直角に延設させて係止片部２７を形成し、外力が作用しても、係止片部２７が棚板２１の縁部を抑えて棚受け具Ａの回動を阻止するように構成した他は、他の構成・作用は前記第１実施例と同様であるため、その詳細な説明をここでは省略する。」（同第８頁第２０行〜第９頁第９行）
（ｆ）「（考案の効果）この考案に係る棚受け具にあっては、以上説明したように、棚板を保持する棚受け具に外力が作用しても、係止片部が上記棚板と摩擦係合し、或は、棚板を上から抑えるように構成したので、外力が作用しても、棚板と棚受け具との係止状態を強固に保持することができるため安全であり、しかも、片面開きの扉を有する家具は勿論、両面開閉扉を有する家具にも使用できる等、の効果を奏する。」（同第１１頁第１０行〜第１９行）
　また、第６図を参照すると、平面部１５の下部に、ピン１２が挿入されるピン孔１３の外周部が膨出形成されているとともに、平面部１５には、棚板２１の下面の前端又は後端が載置される構成が開示されているとともに、ストッパー片部１６が、棚板２１の前端面又は後端面を受け止めるようにされた構成が開示されている。
　そして、上記（ｄ）の記載及び図４、５を参照すると、各棚受け具Ａは、棚板２１の左右両側における前後対向辺を保持しており、それによって棚板２１の四隅を不動に係止保持していることは、当業者にとって明らかである。
　
　よって、引用例１には、以下の発明が記載されていると認められる。
「棚板２１を所望の高さ位置にセットする吊戸棚や床置間仕切りユニットなどの家具において、棚板２１の左右両側における前後対向辺を保持する棚受け具Ａのピン孔１３に上記ピン１２の太径部１２ａに予め嵌入しておき、次に、これら各ピン１２の細径部１２ｂを、家具の両側板２０，２０の同一の高さ位置に開設された各嵌合孔に嵌入し、且つ該各棚受け具Ａには、棚板２１の下面の前端又は後端が載置される平面部１５と、該平面部１５の下部に膨出形成されたピン孔１３の外周部と、該平面部１５の外側から上方に延設された棚板２１の前端面或いは後端面を受け止めるようにしたストッパー片部１６と、該ストッパー片部１６の上端部を内側方向に直角に延設させて形成した棚板２１の上縁部を係止する係止片部２７とが設けられ、棚板２１の左右両側における前後対向辺が夫々のストッパー片部１６と係止片部２７によって保持されることにより、棚板２１の四隅を不動に係止保持するようにした棚板２１の棚受け具。」
　
［２］．引用例２
　同、特開平９−４７３３１号公報（以下、「引用例２」という。）には、図面とともに以下の記載がある。
「【００２３】また、前記左右の前側棚板受け具３の載置板部13には、前記支持ピン４の挿入部６側の端部に位置して前記棚板Ｃの側縁部Ｅを支持する側縁支持部15が上方に向かって一体に突設されている。なお、図中Ｇは前記家具Ａの後側板、Ｈは前記家具の天板、Ｉは前記家具Ａの扉体である。」
「【００３０】この際、左右の棚載置体５及び左右の載置板部13は側縁支持部12，15をそれぞれ有するので、この左右前後の各側縁支持部12，15にて棚板Ｃの側縁部Ｅの前後部がそれぞれ支持され、この棚板Ｃの左右方向に横移動することが防止されるとともに、この棚板Ｃの側縁部Ｅにて左右の側板Ｃの内側面を損傷されることが防止される。」
「【００３２】また、左右の棚載置体５及び左右の載置板部13は側縁支持部12，15を有するとともに、左右の載置板部13は前縁支持部14を有するので、棚板Ｃの下面部の各載置部に位置決め凹部のような加工の必要がなく、これらの各棚載置体５及び左右の載置板部13上に棚板Ｃを加工することなくそのまま載置できる。」
　
［３］．引用例３
　同、特開平８−２０５９３８号公報（以下、「引用例３」という。）には、図面とともに以下の記載がある。
「【００１６】【実施例】以下、図に示す実施例に基づき本発明を詳細に説明する。なお図において従来のものと同一個所には、同一符号を付している。
【００１７】まず図１は、棚板取付状態を示す戸棚の要部切欠側面図、図２はそのＡ−Ａ線断面図、図３はそのＢ−Ｂ線断面図である。図示したように本発明の棚板の取付構造では、棚板３は前部係止具４と後部係止具５を介して戸棚などの側板１に取り付けられるようになっている。」
「【００１９】前部係止具４は、合成樹脂などの弾性素材で形成され、図４に示すように板状基部４２の一側面にボス突部４１を設け、他側面にＬ形の係止部４３を突設したものである。この係止部４３は、板状基部４２の下端に連続した板状の下面支持片４３ａの一端に弾性片４３ｂを上向き突設したものであり、弾性片４３ｂの先端には、内向きに鉤部４３ｃを設けている。」
「【００２１】なお上記弾性片４３ｂの長さは、棚板３の厚さとほぼ等しく形成されている。・・・・」
「【００２２】次に上記両係止具４，５を用いた棚板３の取り付けについて述べると、まず側板１の前部寄りに設けられた穴１１に前部係止具４をボス突部４１を挿入することにより、取り付けると共に、側板１の後部寄りに設けられた穴１２に後部係止具５をボス突部５１を挿入することにより、回動自在に取り付ける。なお、この時、図示していないが、側板１に対向した他方側の側板の内側面にも同様にして前部係止具４と後部係止具５を取り付けることとする。
【００２３】次に戸棚の前方（図１において左方）から棚板３を図１に二点鎖線で示すようにその後部を後部係止具５の保持片５３，５４間に差し込む。このようにして棚板３の後部寄りの側縁を左右側板１に取り付けられた一対の後部係止具５，５間に挿入した後、棚板３の前部（図１において左方）を図１に矢印で示すように下方に押し付けると、棚板３は側板１に回動自在に取り付けられた後部係止具５のボス突部５１を中心にして反時計廻りに回動する。この時、棚板３の前端下側には、前部係止具４の弾性片４３ｂが位置しているが、この弾性片４３ｂは棚板３との接触により外側（図１において左方）に撓むか、あるいは弾性片４３ｂが設けられた前部係止具４自体がボス突部４１を中心に回動することにより、棚板３の下方から移動し、棚板３の回動動作を妨げない。そして棚板３の前部下面が下面支持片４３ａに接すると、弾性片４３ｂは自身の弾性力で原状に復帰し、先端の鉤部４３ｃが棚板３の前端上角部に係合し、棚板３は図１に実線で示すようにその前端側縁が前部係止具４のＬ形の係止部４３に嵌まり込むと共に、その後端が戸棚の背板２に接してこの間で移動不可に保持されるものである。」
【３】．対比・判断
　本願発明と引用例１記載の発明を対比する。
（ａ）引用例１記載の発明における「棚板２１」、「吊戸棚や床置間仕切りユニットなどの家具」、「棚受け具Ａ」、「ピン１２」、「家具の両側板２０，２０」、「ピン孔１３の外周部」、「外側から上方に延設され」、「上端部を内側方向に直角に延設させて形成した」、「棚板２１の上縁部」及び「係止片部２７」は、それぞれ本願発明の「中棚」、「吊り戸棚などの家具」、「係止具」、「支持ピン」、「左右側板」、「ダボ受け」、「端部に上向きに連設され」、「上端に形成した」、「棚板上縁」、及び「係止爪」に相当する。
（ｂ）引用例１記載の発明における「棚板２１を所望の高さ位置にセットする」は、本願発明の「中棚の高さを任意に変更するようにした」に相当する。
（ｃ）引用例１記載の発明における「棚板２１の左右両側における前後対向辺を保持する棚受け具Ａのピン孔１３に上記ピン１２の太径部１２ａに予め嵌入しておき、次に、これら各ピン１２の細径部１２ｂを、家具の両側板２０，２０の同一の高さ位置に開設された各嵌合孔に嵌入し、」と、本願発明の「該中棚を支持する左右側板の対向内側面に前後一対の支持ピンを着脱自由に突設し、左右側板の前後の各支持ピンに棚板の左右を前後端縁部で支承するようにした係止具を嵌脱自由に装着し」は、ともに、「中棚を支持する左右側板の対向内側面に支持ピンを介して棚板の左右を前後端縁部で支承するようにした係止具を装着」した点で共通する。
（ｄ）引用例１記載の発明における「ストッパー片部１６」と本願発明の「弾性係止部」は、ともに、棚板２１又は中棚の端面を保持する「端面保持部」である点で共通する。
　
　よって両者は、
「中棚の高さを任意に変更するようにした吊り戸棚などの家具において、中棚を支持する左右側板の対向内側面に支持ピンを介して棚板の左右を前後端縁部で支承するようにした係止具を装着し、且つ該各係止具には棚板の前縁或いは後縁を載支する棚板下面支持片と、該下面支持片の下部に膨出形成されたダボ受けと、該下面支持片の端部に上向きに連設され棚板の前端面或いは後端面を受け止めるようにした端面保持部と、該端面保持部の上端に形成した棚板上縁を係止する係止爪とが設けられており、棚板の左右両側における前後対向辺が夫々の端面保持部と係止爪によって保持されることにより、棚板の四隅を不動に係止保持するようにした棚板の係止具。」
である点で一致し、以下の点で相違する。
　
＜相違点１＞
　中棚を支持する左右側板の対向内側面に支持ピンを介して棚板の左右を前後端縁部で支承するようにした係止具を装着するにあたって、本願発明では、左右側板の対向内側面に前後一対の支持ピンを着脱自由に突設し、左右側板の前後の各支持ピンに係止具を嵌脱自由に装着するのに対して、引用例１記載の発明では、棚受け具Ａのピン孔１３に上記ピン１２の太径部１２ａに予め嵌入（係止具に支持ピンを予め嵌入）しておき、次に、各ピン１２の細径部１２ｂを、家具の両側板２０，２０の同一の高さ位置に開設された各嵌合孔に嵌入（各支持ピンを、左右側板の各嵌合孔に嵌入）する点。
　
＜相違点２＞
　係止具が、本願発明では、「下面支持片の上面一端縁に立設した棚板の側面支持部」を有するのに対して、引用例１記載の発明では、そのような構成を有さない点。
　
＜相違点３＞
　端面保持部が、本願発明では、「弾性係止部」であるのに対して、引用例１記載の発明では、弾性を有するとは限定されていない点。
　
　上記各相違点について検討する。
＜相違点１について＞
　左右側板の対向内側面に係止具を装着する場合において、支持ピンを先に側板の対向内側面に嵌入させておくか、支持ピンを先に係止具を嵌入させておくかは、当業者が適宜選択しうる程度のことにすぎない。また、棚板の左右を、前後端縁部で支承するのであれば、前後一対の支持ピンが必要であることは当業者にとって明らかである。
　したがって、引用例１記載の発明において、相違点１の本願発明に係る構成とすることは、当業者が適宜なしうる程度の事項といわざるを得ない。
　
＜相違点２について＞
　引用例２には、前側棚板受け具３（本願発明の「係止具」に相当する。以下同じ。）が、載置板部１３（「下面支持片」）の上面一端縁に立設した側縁支持部１５（「側面支持部」）を有する構成が記載されていることから、引用例１記載の発明において、引用例２記載の発明を適用して、相違点２の本願発明に係る構成とすることは、当業者であれば容易になし得ることである。
　
＜相違点３について＞
　引用例３には、前部係止具４（「係止具」）が、合成樹脂などの弾性素材で形成されているとともに、弾性片４３ｂを有しており、前記弾性片４３ｂが自身の弾性力で復帰し、棚板３の前部端縁（「棚板の前端面或いは後端面」）を前部係止具４に嵌まり込むように構成された点が記載されていることから、引用例１記載の発明において、引用例３記載の発明を適用して、相違点３の本願発明に係る構成とすることは、当業者であれば容易になし得ることである。
　
　そして、本願発明によってもたらされる効果も、引用例１ないし３記載の発明に基づき当業者が予測できる範囲のものであって、格別なものがあるとは認められない。
　
【４】．まとめ
　以上のとおり、本願発明は、引用例１ないし３記載の発明に基づいて、当業者が容易に発明をすることができたものであるから、特許法第２９条第２項の規定により特許を受けることができないから、本願は拒絶すべきものである。
　よって、結論のとおり審決する。